(57)【特許請求の範囲】
【請求項１】
光源と、前記光源からの光を集光して光源像を形成する集光素子と、前記光源像が形成される位置付近に配置された光伝達手段と、前記光伝達手段の入射部に入射しない光を遮蔽する遮光手段と、電界の印加に応じて散乱性を変化させる光散乱手段と、を配置してなる照明装置であって、
前記光散乱手段は、前記集光素子と前記光伝達手段との間に配置してなり
前記光散乱手段に印加する電界の制御によって、前記光伝達手段が被照明領域に伝達する光の量を変化させて、前記被照明領域に入射する照明光の強度を制御可能とし、
前記集光素子は、前記光源からの光を複数の部分光に分割すると共に集光して、複数の前記光源像を形成する光分割手段であり、
前記光伝達手段は、複数の前記光源像に対応して配置され、前記複数の部分光を前記被照明領域上で重畳する、
ことを特徴とする照明装置。
【請求項２】
請求項１において、
前記光散乱手段は、前記光分割手段の入射側或いは射出側の少なくとも一方の側に配置されることを特徴とする照明装置。
【請求項３】
請求項１において、
さらに、前記光伝達手段の入射側、射出側、中間のいずれかの位置に、入射光の偏光方向を揃える偏光変換素子が配置されている、
ことを特徴とする照明装置。
【請求項４】
請求項１において、
前記光散乱手段は、光散乱性の制御が独立して可能な複数の散乱領域を備えることを特徴とする照明装置。
【請求項５】
請求項１乃至請求項３のいずれかにおいて、
前記光散乱手段は、光散乱性の制御が独立して可能な複数の散乱領域を備えることを特徴とする照明装置。
【請求項６】
請求項５において、
前記散乱領域は、前記光分割手段を構成する前記集光素子の配列の仕方に対応して形成されることを特徴とする照明装置。
【請求項７】
請求項５において、
前記散乱領域は、前記光分割手段によって形成される光源像の配列の仕方に対応して形成されることを特徴とする照明装置。
【請求項８】
請求項５において、
前記散乱領域は、前記光分割手段によって生成される前記複数の部分光毎に形成されることを特徴とする照明装置。
【請求項９】
請求項５において、
被照明領域が表示特性に照明光の入射角依存性を有する場合には、前記複数の散乱領域のうち、該表示特性を悪化させる部分光を通過させる散乱領域の散乱の程度を、他の散乱領域に優先して増大させることを特徴とする照明装置。
【請求項１０】
請求項９において、
前記表示特性がコントラスト特性である場合には、前記複数の散乱領域のうち、前記被照明領域への入射角が大きな部分光を通過させる散乱領域の散乱の程度を、他の散乱領域に優先して増大させることを特徴とする照明装置。
【請求項１１】
請求項９において、
前記表示特性がコントラスト特性である場合には、前記光散乱手段を複数の同心略相似形状の散乱領域を備えて構成し、前記複数の散乱領域のうち、前記光散乱手段の外周辺部に位置する前記散乱領域の散乱の程度を、他の散乱領域に優先して増大させることを特徴とする照明装置。
【請求項１２】
請求項１乃至請求項１１のいずれかに記載の照明装置と、外部からの画像情報に応じて光の強度を変調する電気光学装置と、前記電気光学装置によって変調された光を投写する投写光学系とを備えるプロジェクタ。
【発明の詳細な説明】
【０００１】
【発明の属する技術分野】
本発明は、外部からの情報によって照明効率を変化させることが可能な照明装置と、それを用いて構成したプロジェクタに関するものである。
【０００２】
【従来の技術】
近年、液晶装置のような小型の電気光学装置に表示した内容をスクリーン等に拡大投写するプロジェクタが普及してきており、これに伴って、投写画像の高画質化に対する要求が急速に強まってきている。プロジェクタの高画質化を実現するためには、様々な表示特性の改善が必要であり、中でもコントラスト比の向上は重要である。
【０００３】
近年のプロジェクタでは、高出力ランプの搭載によって、投写画像が著しく明るくなってきているが、反面、プロジェクタに使用される大部分の電気光学装置は、光源からの光を強度変調する光シャッター型の光学素子である。したがって、黒表示時に光が僅かに漏れる、いわゆる「黒浮き」が増え、画質を損なうといった問題が発生している。プロジェクタのコントラスト比に関しては電気光学装置のコントラスト比が支配的である。よって、より高性能なプロジェクタの実現に向けて、電気光学装置のコントラスト比を向上するための努力がなされている。しかしながら、そのコントラスト比は400:1〜200:1程度と、高画質な投写画像を表示するには、未だ十分高い値とは言い難い水準に留まっている。
【０００４】
そこで、電気光学装置のコントラスト比を直接的に改善するのではなく、光源や投写系を工夫することによって、投写画像のコントラスト比を高める技術が考案されている。例えば、ランプに投入する電力量を変えて、ランプから射出される光量を調節（調光）したり、特開平１０−３０７３３２公報等に開示されているように投写光学系の内部に可変絞りを設けたりすることによって、投写画像の輝度レベルを調節し、見かけ上のコントラスト比を向上させるといったものがある。
【０００５】
【発明が解決しようとする課題】
しかし、キセノンランプなどの一部のランプを除いて、通常プロジェクタに使用されるメタルハライドランプや超高圧水銀ランプ等大部分のランプでは調光をリアルタイムで行うことができず、投写画像の内容に応じてコントラスト比を瞬時に制御することができないという問題がある。また、投写光学系の内部に可変絞りを設けた構成では、投写画像の内容（明暗情報）に係わりなく、電気光学装置には常に一定強度の強い照明光が照射され続ける。したがって、仮に暗い画像を表示する場合でも、電気光学装置に入射する照明光の光強度は弱まらず、耐光性が十分に高いとは言い難い電気光学装置にあっては、その短寿命化を招きやすい。さらに、電気光学装置を常に一定の能力で冷却し続けなければならないため、冷却効率が悪いなどの問題がある。
【０００６】
そこで、本発明は上記の問題点を鑑みてなされたもので、その目的とするところは、調光をリアルタイムで行うことができないランプを用いた場合であっても、電気光学装置を照明する光強度、すなわち光の量を瞬時に制御できる照明装置を実現することにある。また、そのような照明装置を用いて、投写画像の内容に応じて照明光の光強度と電気光学装置の表示特性とを対応させて制御することによって、投写画像のコントラスト比を向上させ、高画質な投写画像を表示できるプロジェクタを実現することにある。
【０００７】
【課題を解決するための手段】
上記の目的を達成するために、本発明の第１の照明装置は、
光源と被照明領域との間に電界の印加に応じて散乱性を変化させる光散乱手段を配置してなり、前記光散乱手段に印加する電界の制御によって前記被照明領域に入射する照明光の強度を制御可能としたことを特徴とする。
【０００８】
第１の照明装置によれば、光源と被照明領域との間に光散乱手段を備えているため、光散乱手段に印加する電解の制御によって光散乱手段から射出される光の角度分布を変え、所望の角度分布を有する照明光に変換することで、被照明領域に入射する照明光量を制御することができる。したがって、調光を瞬時に行うことができないランプを用いた場合であっても、被照明領域における明るさを瞬時に制御する照明装置を実現することができる。
【０００９】
また、本発明の第２の照明装置は、
光源と、前記光源からの光を集光して光源像を形成する集光素子と、前記光源像が形成される位置付近に配置された光伝達手段と、を配置してなる照明装置であって、
前記光源と前記光伝達手段との間に、電界の印加に応じて散乱性を変化させる光散乱手段を配置してなり前記光散乱手段に印加する電界の制御によって、前記光伝達手段が被照明領域に伝達する光の量を変化させて、前記被照明領域に入射する照明光の強度を制御可能としたことを特徴とする。
【００１０】
第２の照明装置によっても、第１の照明装置と同様の効果を実現できる。しかも、第２の照明装置では、光源からの光を被照明領域に導く途中で光源像を形成し、その光源像を疑似光源と見たてて被照明領域を照明する過程を備えている。一般的に形成される光源像の大きさは光の角度分布に影響され、また、光伝達手段における光伝達効率は光源像の大きさを制御することで制御可能である。したがって、光散乱手段に印加する電界を制御することによって光散乱手段から射出される光の角度分布を制御して、光源像の大きさを変え、さらに、これによって光伝達手段が被照明領域に伝達する光の量を変化させて、被照明領域に入射する照明光量を制御することで、第１の照明装置に比べて、被照明領域における明るさを精度良く、また、再現性良く制御することができる。
【００１１】
第２の照明装置において、前記光伝達手段に入射しない光を遮蔽する遮光手段を、備えることが望ましい。
【００１２】
遮光手段を備えることによって、光伝達手段に入射しなかった光が被照明領域に到達するのを防止できる。遮光手段は光を透過する光透過部と、光を遮る遮光部とから構成できる。遮光手段は光伝達手段が配置される位置付近に設けることが望ましいが、より光源側の位置に設けても良い。
【００１３】
第２の照明装置において、前記集光素子は、前記光源からの光を複数の部分光に分割すると共に集光して、複数の前記光源像を形成する光分割手段であって、前記光伝達手段は、前記複数の部分光を前記被照明領域上で重畳する、という構成を備えることができる。
【００１４】
上記の構成を備えることによって、被照明領域において略均一な照度分布を得られると共に、そのような照度分布を保ちつつ明るさを瞬時に制御する照明装置を実現することができる。また、寸法形状が異なる複数の光源像が形成され、それらの光源像と一対一で対応するように光伝達手段を配設することができるので、被照明領域における明るさを精度良く、また、再現性良く制御することができる。さらに、各光源像の明るさ、すなわち光源像を形成する光の量は、照明光軸から離れるに従って低下するため、この点に着目すれば、被照明領域に入射する照明光の角度分布をある程度制御することもできる。
【００１５】
ここで、前記光散乱手段は、前記光分割手段の入射側或いは射出側の少なくとも一方の側に配置されることが望ましい。
【００１６】
光散乱手段は、光分割手段に入射する光、或いは、光分割手段から射出された光の角度分布を制御する光学素子であるから、光分割手段の入射側或いは射出側の少なくとも一方の側に配置すれば良い。光散乱手段の配置の自由度が高いため、照明装置を構成しやすい特徴がある。また、光散乱手段と光分割手段とを光学的に一体化すれば、両者の界面で生じる光損失を低減でき、照明装置における光利用効率を向上できる。
【００１７】
第２の照明装置において、前記光分割手段は、前記被照明領域と略相似形の形状を有する複数の集光素子を備えて構成される集光素子アレイによって、また、前記光伝達手段は、複数の伝達レンズを備えて構成されるレンズアレイによって、構成することができる。
【００１８】
レンズアレイは、比較的薄いレンズを平面的に配置することで実現できる。また、集光素子アレイは、比較的薄いレンズを平面的に配置したレンズアレイや、比較的薄い曲面ミラーを平面的に配置したミラーアレイによって実現できる。これらの光学要素は一体成型などで容易に形成することが可能であるため、照明装置を容易に構成できる特徴がある。また、レンズアレイは形状が個々に異なる伝達レンズによって構成できるので、寸法形状が異なる光源像と一対一で対応するように光伝達手段を容易に配設でき、被照明領域における明るさを精度良く、また、再現性良く制御することができる。
【００１９】
また、第２の照明装置において、前記光分割手段は、入射端面から入射した前記光源からの光を複数対の反射面にて反射させ、複数の部分光に分割して射出端面から射出する導光体と、前記導光体の射出側に配置された集光レンズとを備え、前記射出端面は被照明領域と略相似形の形状を有する構成を備えることができる。
【００２０】
導光体は導光性を有する棒状のガラスやプラスチックで、或いは、複数の反射ミラーが向かい合うように筒状に配置することで実現できるため、照明装置を容易に構成できる特徴がある。
【００２１】
さらに、第２の照明装置において、前記光伝達手段の入射側、射出側、中間のいずれかの位置に、入射光の偏光方向を揃える偏光変換素子を設けることが好ましい。
【００２２】
偏光変換素子を設ければ、光源から射出された非偏光光を偏光方向が揃った略一種類の偏光光に変換できる。したがって、被照明領域において略一種類の偏光による略均一な照度分布を得られると共に、そのような照度分布を保ちつつ明るさを瞬時に制御する照明装置を実現することができる。このような照明装置は、特に、１種類の偏光しか利用できない液晶装置のような電気光学装置を照明するのに便利である。偏光分離部を配置する位置は、光伝達手段が１つの光学要素で構成される場合はその入射側或いは射出側である。光伝達手段が複数の光学要素で構成される場合は、入射側、射出側、あるいは中間である。光伝達手段の中間とは、複数の光学要素に挟まれる位置を意味し、必ずしも複数の光学要素の中心を意味するものではない。
【００２３】
ここで、前記光散乱手段は、前記光分割手段の入射側或いは射出側の少なくとも一方の側に配置されることが望ましい。
【００２４】
光散乱手段は、光分割手段に入射する光、或いは、光分割手段から射出された光の角度分布を制御する光学素子であるから、光分割手段の入射側或いは射出側の少なくとも一方の側に配置すれば良い。光散乱手段の配置の自由度が高いため、照明装置を構成しやすい特徴がある。また、光散乱手段と光分割手段とを光学的に一体化すれば、両者の界面で生じる光損失を低減でき、照明装置における光利用効率を向上できる。
【００２５】
上記の偏光変換素子を備えた照明装置において、前記光分割手段は、前記被照明領域と略相似形の形状を有する複数の集光素子を備えて構成された集光素子アレイであり、前記偏光変換素子は、偏光分離部と偏光回転部とを備えて構成され、前記偏光分離部は、互いに平行に配置された一対の偏光分離面と反射面とを複数組備えた偏光分離素子アレイであって、入射した非偏光光を偏光方向が互いに直交する２種類の偏光光に分離しすると共に、略同じ方向に向けて射出し、前記偏光回転部は、前記偏光分離部からの２種類の偏光光の内、少なくとも一方の偏光方向を回転させて、偏光方向が揃った略一種類の偏光光に変換し、前記光伝達手段は、複数の伝達レンズを備えて構成されるレンズアレイである、という構成を備えることができる。
【００２６】
レンズアレイは、比較的薄いレンズを平面的に配置することで実現できる。また、集光素子アレイは、比較的薄いレンズを平面的に配置したレンズアレイや、比較的薄い曲面ミラーを平面的に配置したミラーアレイによって実現できる。これらの光学要素は一体成型などで容易に形成することが可能であるため、照明装置を容易に構成できる特徴がある。また、レンズアレイは形状が個々に異なる伝達レンズによって構成できるので、寸法形状が異なる光源像と一対一で対応するように光伝達手段を容易に配設でき、被照明領域における明るさを精度良く、また、再現性良く制御することができる。
【００２７】
また、上記の偏光変換素子を備えた照明装置において、前記光分割手段は、入射端面から入射した前記光源からの光を複数対の反射面にて反射させ、複数の部分光に分割して射出端面から射出する導光体と、前記導光体の射出側に配置された集光素子とを備え、前記入射端面は被照明領域と略相似形の形状を有しており、前記偏光変換素子は、偏光分離部と偏光回転部とを備えて構成され、前記偏光分離部は、互いに平行に配置された一対の偏光分離面と反射面とを複数組備えた偏光分離素子アレイであって、入射した非偏光光を偏光方向が互いに直交する２種類の偏光光に分離すると共に、略同じ方向に向けて射出し、前記偏光回転部は、前記偏光分離部からの２種類の偏光光の内、少なくとも一方の偏光方向を回転させて、偏光方向が揃った略一種類の偏光光に変換する、という構成を備えることができる。
【００２８】
導光体は導光性を有する棒状のガラスやプラスチックで、或いは、複数の反射ミラーが向かい合うように筒状に配置することで実現できるため、照明装置を容易に構成できる特徴がある。
【００２９】
上記の偏光変換素子を備えた照明装置において、前記光伝達手段の特定の入射部に入射しない光を遮蔽する遮光手段を、前記部分光、或いは前記偏光光のそれぞれに対応するように備えることができる。
【００３０】
遮光手段を備えることによって、偏光分離面を経ずに反射面に直接入射する光を無くすことができるため、偏光度の高い偏光光を得ることができる。遮光手段は光を透過する光透過部と、光を遮る遮光部とから構成できる。遮光手段は偏光変換素子の入射面上に配置することが望ましいが、より光源側に配置しても良い。
【００３１】
さらに、上記の偏光変換素子を備えた照明装置において、前記光分割手段は、前記被照明領域と略相似形の形状を有する複数の集光素子を備えて構成された集光素子アレイであり、前記偏光変換素子は、偏光分離部と偏光回転部とを備えて構成され、前記偏光分離部は、偏光分離面と反射面を備えた偏光分離素子であって、非偏光光を偏光方向が互いに直交する２種類の偏光光に分離して前記偏光回転部に射出し、前記偏光回転部は、前記偏光分離部で分離された前記２種類の偏光光の内、少なくとも一方の偏光方向を回転させて、偏光方向が揃った略一種類の偏光光に変換し、前記光伝達手段は、複数の伝達レンズを備えて構成されるレンズアレイである、という構成を備えることができる。
【００３２】
レンズアレイは、比較的薄いレンズを平面的に配置することで実現できる。また、集光素子アレイは、比較的薄いレンズを平面的に配置したレンズアレイや、比較的薄い曲面ミラーを平面的に配置したミラーアレイによって実現できる。これらの光学要素は一体成型などで容易に形成することが可能であるため、照明装置を容易に構成できる特徴がある。また、レンズアレイは形状が個々に異なる伝達レンズによって構成できるので、寸法形状が異なる光源像と一対一で対応するように光伝達手段を容易に配設でき、被照明領域における明るさを精度良く、また、再現性良く制御することができる。
【００３３】
次に、散乱性の制御法に着目すると、前記光散乱手段としては散乱性の制御が独立して可能な複数の散乱領域を備えたものを用いることができる。これにより、各散乱領域を通過する光毎に散乱性を制御できるため、照明光の角度分布の制御と調光を同時に実現することができる。したがって、表示特性が照明光の入射角依存性を有する電気光学装置を照明する場合には、電気光学装置の表示特性を考慮した理想的な角度分布を有する照明光とすることができるため、表示画像の高画質化を実現できる。また、表示画像の内容に対応させて調光する領域を適宜変更すれば、更なる高画質化や表現性の向上を図ることができる。
【００３４】
ここで、第２の照明装置においては、前記光分割手段を構成する前記集光素子の配列の仕方に対応して、或いは、前記光分割手段によって形成される光源像の配列の仕方に対応して、或いは、前記光分割手段によって生成される前記複数の部分光毎に、前記複数の散乱領域を形成することができる。第２の照明装置においては、光分割手段によって複数の部分光（光源像は部分光によって形成される）を離散的に生成する過程を有するため、これらの部分光が通過する位置に合わせて複数の散乱領域を配置すれば、部分光毎に、或いは複数の部分光毎に、散乱性を効率よく確実に制御できる点で都合がよい。
【００３５】
また、複数の散乱領域間での散乱性の制御法に着目すれば、被照明領域が表示特性に照明光の入射角依存性を有する場合には、前記複数の散乱領域のうち、該表示特性を悪化させる部分光を通過させる散乱領域の散乱の程度を、他の散乱領域に優先して増大させる制御法を用いることができる。液晶装置のような電気光学装置では、表示特性（例えば、コントラスト特性やフリッカー特性）が照明光の入射角依存性を有するため、上述の制御法を用いることによって、表示画像の高画質化を実現できる。例えば、ＴＮ型の表示モードを備えた一般的な液晶装置では、コントラストの著しい低下を招く逆明視方向が存在するため、この方向に沿って入射する照明光（部分光）を優先して減光すれば、表示画像の高画質化を一層効果的に実現できる。
【００３６】
なお、前記表示特性がコントラスト特性である場合には、前記複数の散乱領域のうち、前記被照明領域への入射角が大きな部分光を通過させる散乱領域の散乱の程度を、他の散乱領域に優先して増大させる制御法を用いることが望ましい。また、前記光散乱手段を複数の同心略相似形状の散乱領域を備えて構成し、前記光散乱手段の外周辺部に位置する前記散乱領域の散乱の程度を、他の散乱領域に優先して増大させる制御法を用いても良い。一般的に液晶装置のような電気光学装置におけるコントラスト値は入射角の増大に反比例して低下する。上述の制御法に依れば、照明光の角度分布を容易に制御できるため、表示画像の高画質化を実現できる。特に後者の場合には、照明光における角度分布の対称性を保ちやすいため、被照明領域における照度分布の均一性を殆ど低下させることなく、調光を実現できるという特徴がある。
【００３７】
以上説明した本発明の照明装置において、前記光散乱手段としては、ＰＤＬＣ型或いはＮＣＡＰ型の高分子分散型液晶装置、ＰＮＬＣ型の高分子分散型液晶装置、動的散乱モードで駆動される液晶装置を用いることができる。
【００３８】
以上説明した照明装置は、外部からの画像情報に応じて光の強度を変調する電気光学装置と、前記電気光学装置によって変調された光を投写する投写光学系とを備えたプロジェクタにおいて、電気光学装置を照明する照明装置として用いるのに適している。以上説明した照明装置をこのようなプロジェクタの照明装置として採用することにより、電気光学装置のコントラスト比を改善することなく、コントラスト比の向上した投写画像を実現することができる。
【００３９】
ここで、このようなプロジェクタにおいて、前記画像情報に応じて前記光散乱手段に印加する電界を変化させて、前記電気光学装置に入射する照明光の強度を制御可能とすると共に、前記照明光の制御に対応させて前記電気光学装置で表示する画像情報を制御可能とすれば、投写画像の内容に応じてコントラスト比、階調性、明るさを可変でき、黒の表現性に優れた高画質な投写画像を表示することができる。
【００４０】
また、このようなプロジェクタにおいて、プロジェクタが設置された環境の明るさに応じて前記光散乱手段に印加する電界を変化させて、前記電気光学装置に入射する照明光の強度を制御可能とすれば、プロジェクタが置かれた環境の明るさに応じて、明るさを自動的に、或いは、観察者の好みに応じて調節することができるため、観察者にとって見やすく、高画質な投写画像を表示することができる。
【００４１】
【発明の実施の形態】
以下、本発明の実施形態を図面に基づいて説明する。尚、図中に示すＸ方向、Ｙ方向、Ｚ方向は、互いに直交する３つの方向を示している。
【００４２】
Ａ．照明装置
（第１の実施形態）
図１は、第１の実施形態としての照明装置１の概略構成を示す平面図である。照明装置１は照明光軸Ｌに沿って、光源１００、光散乱手段であるＰＤＬＣ素子２００、光伝達手段である伝達レンズ３００を備えて大略構成され、光源１００から射出された照明光は、ＰＤＬＣ素子２００と伝達レンズ３００を経て、被照明領域９００を照明する構成となっている。
【００４３】
光源１００は、ランプ１１０と放物面リフレクター１２０を備えて構成され、ランプ１１０から放射された光は放物面リフレクター１２０で反射され、略平行な光となって特定の方向に射出される。したがって、光源１００からＰＤＬＣ素子２００に入射する光は角度分布範囲が狭い照明光である。なお、放物面リフレクター１２０に代えて、楕円面リフレクターや球面リフレクターなどを使用することもできる。
【００４４】
ＰＤＬＣ（Ｐｏｌｙｍｅｒ  Ｄｉｓｐｅｒｓｅｄ  Ｌｉｑｕｉｄ  Ｃｒｙｓｔａｌ）素子２００は、高分子分散型液晶装置の一種であり、その構造と機能を図２により説明する。ＰＤＬＣ素子２００は、透明電極２２０が表面に形成された一対の透明基板２３０で挟持されるように、マイクロカプセル化した液晶２１０を樹脂２１２に入れて固めた光学素子である。透明電極２２０の材料の一例としてはＩＴＯ膜、透明基板２３０の材料の一例としてはガラス、液晶２１０の材料の一例としてはネマチック液晶、樹脂２１２の材料の一例としてはＰＶＡが挙げられる。なお、このような構造を有する高分子分散型液晶装置は、ＮＣＡＰ（Ｎｅｍａｔｉｃ  Ｃｕｒｖｉｌｉｎｅａｒ  Ａｌｉｎｅｄ  Ｐｈａｓｅ）液晶装置とも呼称される場合がある。ここで、液晶２１０は２つの屈折率ｎ１、ｎ２によって表される屈折率異方性を有し、２つの屈折率ｎ１、ｎ２の内の一方と樹脂２１２の屈折率ｎｐが略一致、すなわち、ｎ１＝ｎｐ、或いは、ｎ２＝ｎｐとなるように、液晶２１０と樹脂２１２との間で屈折率整合がとられている。このような構造のＰＤＬＣ素子２００に透明電極２２０を介して電界を印加すると、図２（Ｂ）に示すように、液晶２１０が電界に応答して配向し、液晶２１０と樹脂２１２との間で屈折率が整合され、樹脂２１２とマイクロカプセル２１１との界面では屈折率差を生じないため、入射光２４０は液晶２１０が入ったマイクロカプセル２１１で屈折することなく透過する。よって、ＰＤＬＣ素子２００を通過する光の角度分布は変化しない。この状態を便宜的に非散乱モードと呼称する。一方、図２（Ａ）に示すように、電界が印加されない場合には、液晶２１０はマイクロカプセルの界面に沿って配向したり、或いは、マイクロカプセル２１１内でランダムな方向を向いたりするため、液晶２１０と樹脂２１２との間で屈折率が整合されず、樹脂２１２とマイクロカプセル２１１との界面で屈折率差を生じる。よって、入射光２４０はマイクロカプセル２１１で無秩序に屈折し、ＰＤＬＣ素子２００を通過する光の角度分布は変化する。この状態を便宜的に散乱モードと呼称する。その屈折の程度は印加する電界あるいは電圧に比例するため、図３に示すように、ＰＤＬＣ素子２００に印加する電界あるいは電圧を変化させることで、ＰＤＬＣ素子２００を通過する光の角度分布状態を変化させることができる。例えば、ＰＤＬＣ素子２００によって光の角度分布を低下させることができる。しかも、これらの状態変化における応答速度は数ミリ〜数十ミリ秒程度と高速であるため、瞬時に光の角度分布を制御することができる。もちろん、非散乱モードの状態にあるＰＤＬＣ素子２００では、そこを通過する光の角度分布に影響を及ぼすことはない。
【００４５】
図１に戻って説明する。光源１００からは略平行な光が射出されるので、伝達レンズ３００は、非散乱モードの状態にあるＰＤＬＣ素子２００から射出された光を高い効率で被照明領域９００に導き入れる機能を担っており、光源１００から射出される光の角度分布、すなわち、非散乱モードの状態にあるＰＤＬＣ素子２００から射出される光の角度分布を考慮してレンズなどの設計がなされている。そのため、ＰＤＬＣ素子２００によって光の角度分布を広げた場合には、被照明領域９００に入射する光量は減少することになる。すなわち、ＰＤＬＣ素子２００が非散乱モードの状態にある場合には、ＰＤＬＣ素子２００から射出された、例えば図３のＶ１に相当する角度分布を有する照明光のほとんど全てが被照明領域９００に入射するため、被照明領域９００は明るく照明される。一方、散乱モードの状態にある場合には、ＰＤＬＣ素子２００から射出された、例えば図３のＶ３に相当する角度分布を有する照明光の角度分布状態が変化し、伝達レンズ３００では照明光の一部分しか被照明領域９００に導き入れることができなくなるため、被照明領域９００における明るさは低下する。
【００４６】
なお、例えば光源１００に使用されるリフレクターを楕円面リフレクターとすれば、リフレクターに伝達レンズ３００の機能を併せ持たせることも可能であるため、その場合には伝達レンズ３００を省略することができる。
【００４７】
以上のように構成された本発明の照明装置１は、光源１００と被照明領域９００との間に光散乱手段であるＰＤＬＣ素子２００を備えているため、図示しない外部からの制御情報によってＰＤＬＣ素子２００から射出される光の角度分布を変え、所望の角度分布を有する照明光に変換することで、被照明領域に入射する照明光量を制御することができる。したがって、調光を瞬時に行うことができないランプを用いた場合であっても、被照明領域９００における明るさを瞬時に制御する照明装置を実現することができる。
【００４８】
（第２の実施形態）
図４は、第２の実施形態としての照明装置２の概略構成を示す平面図である。本実施形態の照明装置２は、基本的には第１の実施形態で説明した照明装置１と類似の構成を有するが、光源から射出された光が被照明領域に至る途中段階で光源像を形成する過程を有すること、また、その光源像を被照明領域に伝達する光伝達手段を備えている点が照明装置１とは相違する。なお、本実施形態を含めて、以降に説明する各実施形態において、既に説明した構成要素と同様のものについては同じ参照番号を付し、その詳細な説明については省略する。
【００４９】
光源１００から射出された略平行な光は、レンズなどを用いた集光素子１３０で集光され、光散乱手段であるＰＤＬＣ素子２００と被照明領域９００との間で、集光像である光源像１５０を形成する。なお、集光作用を有する楕円面リフレクターや球面リフレクターを放物面リフレクターに代えて用いることができ、その場合には光源１００の射出側に配置される集光素子１３０を省略することができる。
【００５０】
ＰＤＬＣ素子２００と被照明領域９００との間には、光伝達手段であるリレーレンズ３１０、遮光手段である遮光素子１６０及び平行化レンズ６００が配置されている。リレーレンズ３１０は光源１００からの照明光を被照明領域９００へと導く機能を有している。そのため、リレーレンズ３１０は光源像１５０が形成される位置の近傍（リレーレンズ３１０の内部に光源像１５０が形成される位置関係とすることがより望ましい）に配置され、リレーレンズ３１０を介して集光素子１３０と被照明領域９００とは光学的に共役な関係に設定される。遮光素子１６０はリレーレンズ３１０に入射しなかった光が被照明領域９００に入射することを防止するために用いられ、図５に示すように、リレーレンズ３１０の外形形状とほぼ等しい形状の光透過部１６１を遮光部１６２中に有しており、リレーレンズ３１０が光透過部１６１に収まるように配置される。平行化レンズ６００は被照明領域９００への光の入射角度を調整する機能を有している。なお、平行化レンズ６００は被照明領域９００への照明光の入射効率に対して直接的な影響を及ぼさないため、省略することができる。
【００５１】
一般に、光源像の大きさは光の角度分布の広がりに影響され、角度分布が狭い光では小さな寸法の光源像を形成できるが、角度分布が広い光では光源像の寸法は大きくなる。また、ランプ１１０の発光部すなわちアークは有限の大きさを有するため、光源１００からの光によって形成される光源像も有限の大きさを有する。これらの点を考慮して、リレーレンズ３１０と遮光素子１６０の光透過部１６１は、非散乱モードの状態にあるＰＤＬＣ素子２００から射出された光によって形成される光源像１５０を包含できる最小の寸法形状に設定される。すなわち、図５（Ａ）に示すように、光源像１５０は遮光部１６２で遮られることなくリレーレンズ３１０と遮光素子１６０を透過する。したがって、この場合にはＰＤＬＣ素子２００から射出された照明光のほとんど全てがリレーレンズ３１０によって被照明領域９００へと伝達され、被照明領域９００は明るく照明される。
【００５２】
一方、ＰＤＬＣ素子２００が散乱モードの場合には、ＰＤＬＣ素子２００によって光の角度分布が広げられるため、形成される光源像１５０の寸法はリレーレンズ３１０よりも大きくなる。すなわち、図５（Ｂ）に示すように、光源像１５０の寸法が遮光部１６２よりも大きくなったことにより、一部の光はリレーレンズ３１０と遮光素子１６０を透過するが、他の光は遮光部１６２で遮られる。その結果、ＰＤＬＣ素子２００から射出された照明光の一部分のみが被照明領域９００に入射するため、被照明領域９００における明るさは低下する。すなわち、本例の照明装置は、リレーレンズ３１０上、より正確にはリレーレンズ３１０の入射部に形成される光源像の大きさを変えることで、リレーレンズ３１０によって伝達される光量、言い換えれば、リレーレンズ３１０による光の伝達効率を変え、その結果として被照明領域上での明るさを制御する点に特徴がある。
【００５３】
以上のように構成された本例の照明装置２においても照明装置１と同様の効果を実現することができる。すなわち、図示しない外部からの制御情報によってＰＤＬＣ素子２００から射出される光の角度分布を変え、形成される光源像の寸法形状を変化させることによって、リレーレンズ３１０を経て被照明領域に入射する照明光量を制御することができる。したがって、調光を瞬時に行うことができないランプを用いた場合であっても、被照明領域９００における明るさを瞬時に制御する照明装置を実現することができる。なお、遮光素子１６０はリレーレンズ３１０の入射部に設置することが望ましいが、光散乱手段とリレーレンズ３１０との間で有れば、その位置は限定されない。また、リレーレンズ３１０に入射しなかった光が被照明領域に入射しない場合には、遮光素子１６０を省略することができる。
【００５４】
（第３の実施形態）
第２の実施形態の照明装置２では、光伝達手段として１つのリレーレンズを用いることで一つの光源像を形成していたが、複数のレンズが平面的に配置されてなるレンズアレイを備えたインテグレータ光学系においても、同様の作用、効果を得られる照明装置を構成することができる。照明装置３はインテグレータ光学系を備えているので被照明領域において略均一な照度分布を得られると共に、そのような照度分布を保ちつつ明るさを瞬時に制御できる点に特徴がある。
【００５５】
図６は、第３の実施形態としての照明装置３の概略構成を示す平面図であり、光源１００と被照明領域９００との間に光分割手段を構成する集光素子アレイである第１レンズアレイ２５０、光散乱手段であるＰＤＬＣ素子２００、光伝達手段を構成する第２レンズアレイ３２０及び平行化レンズ６００が配置されている。第１レンズアレイ２５０は集光素子である複数の小レンズ２５１を平面的に配置して構成したもので、小レンズ２５１の形状は被照明領域９００と略相似形となっている。光源１００から放射された光は放物面リフレクター１２０によって略平行な光となって特定の方向に射出され、第１レンズアレイ２５０に入射して複数の光（以下では便宜的に部分光と呼称する）に分割され、ＰＤＬＣ素子２００を経て、小レンズ２５１と同数の光源像１５０を形成する。第２レンズアレイ３２０は形成される光源像１５０と同数の伝達レンズ３２１によって構成され、複数の光源像１５０が形成される位置の近傍に配置されている。第１レンズアレイ２５０と第２レンズアレイ３２０との位置関係は、第２レンズアレイ３２０の内部に光源像１５０が形成される位置関係とすることがより望ましい。第１レンズアレイ２５０から第２レンズアレイ３２０に入射したそれぞれの光は、伝達レンズ３２１によって被照明領域９００上で重畳される。したがって、第１レンズアレイ２５０を構成する小レンズ２５１と第２レンズアレイ３２０を構成する伝達レンズ３２１とは、光源像１５０を介して１対１の対応関係にある。なお、放物面リフレクター１２０に代えて楕円面リフレクターや球面リフレクターを使用することもできる。また、平行化レンズ６００は被照明領域９００への光の入射角度を調整する機能を有しているが、被照明領域９００への照明光の入射効率に対しては直接的な影響を及ぼさないため、省略することができる。
【００５６】
第２レンズアレイ３２０を構成する伝達レンズ３２１は、非散乱モードの状態にあるＰＤＬＣ素子２００から射出された光によって形成される光源像１５０をほぼ包含できる様な寸法形状に設定されており、したがって、この場合にはＰＤＬＣ素子２００から射出された照明光のほとんど全てが第２レンズアレイ３２０によって被照明領域９００へと伝達され、被照明領域９００は明るく照明される。一方、ＰＤＬＣ素子２００が散乱モードの場合には、ＰＤＬＣ素子２００によって光の角度分布が広げられるため、形成される光源像１５０の寸法は第２レンズアレイ３２０を形成する個々の伝達レンズ３２１よりも大きくなる。その結果、ＰＤＬＣ素子２００から射出された照明光の一部分のみが被照明領域９００に入射し、光源像と対応関係にある伝達レンズ３２１に入射しなかった光は被照明領域９００にはほとんど伝達されないため、被照明領域９００における明るさは低下する。
【００５７】
以上のように構成された本例の照明装置３においても照明装置２と同様の効果を実現することができる。なお、ＰＤＬＣ素子２００は第１レンズアレイ２５０と光源１００との間に配置しても良く、配置場所は本例に限定されない。すなわち、ＰＤＬＣ素子２００は第１レンズアレイ２５０の入射側、或いは、射出側のどちらか一方の側に配置されていれば良い。
【００５８】
さらに、光源１００から射出される光の角度分布は照明光軸Ｌの近傍では低いため、このような光によって形成される光源像１５０の寸法は大きくなるが、照明光軸Ｌから離れるに従って角度分布は狭くなるため、このような光によって形成される光源像１５０の寸法は小さくなる。したがって、このような点に着目して、第２レンズアレイ３２０を異なる寸法形状を有する伝達レンズ３２１によって構成しても良い。このような構成とすれば、ＰＤＬＣ素子２００が非散乱モードにある場合の光利用効率を低下させずに、第２レンズアレイ３２０を小型化することができる。
【００５９】
また、集光素子アレイとしては、本例の第１レンズアレイに代えて集光素子としての曲面反射ミラーを平面的に配列して構成した反射ミラーアレイを用いることもできる。但し、その場合には、照明装置は直線的に配置されず、光分割手段のところで照明光軸Ｌが折れ曲がる配置構成となる。
【００６０】
（第３の実施形態の変形例）
ガラスや樹脂等によって形成された断面が四角形の棒状の導光体を用いて構成したインテグレータ光学系を備えた照明装置においても、本発明の構成を適用することができる。図７に示す照明装置４は、光分割手段を構成する導光体としてのガラスロッド２６０と集光レンズ２７０、光伝達手段であるリレーレンズ３１０、平行化レンズ６００などを備えて構成されている。光源１００から放射された光は楕円面リフレクター１２１で集光され、光源像１５０を入射端面２６１に形成しつつガラスロッド２６０に入射する。ガラスロッド２６０は複数の反射面２６３を備えた棒状の導光体で、射出端面２６２は被照明領域９００と略相似形を成しており、ガラスロッド２６０に入射した光を射出角が異なる複数の光に分離する。ガラスロッド２６０から射出された複数の光は集光レンズ２７０でリレーレンズ３１０の近傍にそれぞれ集光され、この時、光の数に対応した複数の集光像１５５を形成する。リレーレンズ３１０の近傍にそれぞれ集光された複数の光は、リレーレンズ３１０によって被照明領域９００上で重畳結像される。したがって、照明装置３と同様に、被照明領域９００上では略均一な照度分布を得ることができる。なお、平行化レンズ６００は被照明領域９００への光の入射角度を調整する機能を有しているが、被照明領域９００への照明光の入射効率に対しては直接的な影響を及ぼさないため、省略することができる。
【００６１】
ここで、ガラスロッド２６０の入射端面２６１は、非散乱モードの状態にあるＰＤＬＣ素子２００から射出された光によって形成される光源像１５０をほぼ包含できる様な寸法に設定されており、この場合にはＰＤＬＣ素子２００から射出された照明光のほとんど全てがガラスロッド２６０によって被照明領域９００へと伝達され、被照明領域９００は明るく照明される。一方、ＰＤＬＣ素子２００が散乱モードの場合には、ＰＤＬＣ素子２００によって光の角度分布が広げられるため、形成される光源像１５０の寸法はガラスロッド２６０の入射端面２６１よりも大きくなる。その結果、ＰＤＬＣ素子２００から射出された照明光の一部分のみが被照明領域９００に入射し、ガラスロッド２６０に入射しなかった光は被照明領域９００には伝達されないため、被照明領域９００における明るさは低下する。
【００６２】
したがって、照明装置４においても照明装置３と同様の効果を実現することができる。なお、ガラスロッド２６０に代えて、複数の反射ミラーを管状に配置した筒状の導光体を用いても良い。さらに、入射端面２６１と射出端面２６２の寸法形状は異なっていても良く、例えば、向かい合う一対の反射面２６３の間隔が、入射端面２６１から射出端面２６２に向かうに従って次第に拡がる、或いは、狭くなる構造を有する導光体を用いても良い。向かい合う一対の反射面２６３の間隔を次第に変化させれば、導光体から射出される光の角度分布を制御できるため、光学配置や設計の自由度を向上させられる利点がある。
【００６３】
（第４の実施形態）
照明装置３において、複数の光源像１５０が形成される位置に偏光変換素子を配置し、非偏光な光を偏光方向が揃った略一種類の偏光光に変換すれば、被照明領域において略一種類の偏光による略均一な照度分布を得られると共に、そのような照度分布を保ちつつ明るさを瞬時に制御できる照明装置を実現することができる。
【００６４】
図８は、第４の実施形態としての偏光インテグレータ光学系を備えた照明装置４の概略構成を示す平面図であり、光源１００と被照明領域９００との間に光分割手段を構成する集光素子アレイとしての第１レンズアレイ２５０、光散乱手段であるＰＤＬＣ素子２００、光伝達手段を構成する第２レンズアレイ３２５並びに重畳レンズ４４０、偏光変換素子４００、及び、平行化レンズ６００が配置されている。偏光変換素子４００は、偏光分離部と偏光回転部とを備えて構成されている。本例において、偏光分離部は、略平行に配置された偏光分離面４２０と反射面４２１とを複数組有する偏光分離素子アレイ４１０によって構成されている。また、偏光回転部は、アレイ状の構造を有するλ／２波長板４３０によって構成されている。偏光変換素子４００は、複数の光源像１５０が形成される位置の近傍に配置される。偏光分離素子アレイ４１０は、その内部に光源像１５０が形成される位置に配置することがより望ましい。なお、平行化レンズ６００は被照明領域９００への光の入射角度を調整する機能を有しているが、被照明領域９００への照明光の入射効率に対しては直接的な影響を及ぼさないため、省略することができる。
【００６５】
光源１００から射出された光は非偏光な光であり、第１レンズアレイ２５０によって分割された複数の光のそれぞれは、対応する第２レンズアレイ３２５の伝達レンズ３２６を経て偏光分離素子アレイ４１０に入射し、偏光分離面４２０によって互いに偏光方向が直交する２種類の偏光光、例えば、Ｐ偏光光とＳ偏光光に空間的に分離される。偏光分離面４２０を透過したＰ偏光光は、偏光分離素子アレイ４１０から射出され、λ／２波長板４３０で偏光方向を略９０°回転されてＳ偏光光に変換される。一方、偏光分離面４２０で反射したＳ偏光光は、反射面４２１で再度反射し、Ｐ偏光光と略同じ方向に射出される。ここで、Ｓ偏光光はλ／２波長板４３０を通過しないため、Ｓ偏光光の偏光方向は変化しない。以上により、偏光変換素子４００に入射した非偏光な光は、偏光方向が揃った略一種類の偏光光に変換されて射出される。そして、偏光変換素子４００から射出された複数の光は重畳レンズ４４０によって被照明領域９００上で重畳結像される。したがって、被照明領域９００上では略一種類の偏光光による略均一な照度分布を得ることができる。
【００６６】
偏光変換素子４００においては、光源像１５０を形成する光を偏光分離面４２０のみに入射させることが理想的である。偏光分離面４２０を経ずして反射面４２１に直接入射した光は、偏光分離面４２０に直接入射した光に対して、偏光方向が略９０°異なった偏光光として射出され、略一種類の偏光光を得ようとする本例の照明装置５においては、不要な光となるためである。したがって、偏光分離面４２０は、非散乱モードの状態にあるＰＤＬＣ素子２００から射出された光によって形成される光源像１５０をほぼ包含できる様な寸法形状に設定されており、この場合にはＰＤＬＣ素子２００から射出された照明光のほとんど全てが偏光変換素子４００で所望の偏光光に変換されて被照明領域９００へと伝達され、被照明領域９００は所望の偏光光によって明るく照明される。一方、ＰＤＬＣ素子２００が散乱モードの場合には、ＰＤＬＣ素子２００によって光の角度分布が広げられるため、形成される光源像１５０の寸法は偏光分離面４２０よりも大きくなり、その一部は偏光分離面４２０を経ずに反射面４２１に直接入射する。その結果、ＰＤＬＣ素子２００から射出された所望の偏光光の一部分のみが被照明領域９００に入射するため、所望の偏光光によってもたらされる明るさに限定すれば、被照明領域９００における明るさは低下する。
【００６７】
以上のように構成された本例の照明装置４においても、図示しない外部からの制御情報によってＰＤＬＣ素子２００から射出される光の角度分布を変え、形成される光源像の寸法形状を変化させることによって、偏光変換素子４００を経て被照明領域に入射する偏光光量を制御することができる。したがって、調光を瞬時に行うことができないランプを用いた場合であっても、被照明領域９００における明るさを瞬時に制御する照明装置を実現することができる。本例の照明装置４は所望の偏光光を照明光として用いるタイプの照明装置であるため、液晶装置のように偏光光を必要する表示素子を照明する場合に好適である。なお、ＰＤＬＣ素子２００が散乱モードの場合には、照明光中に所望の偏光光に対して偏光方向が９０°異なる不要な偏光光が混入するため、不要な偏光光の偏光方向に対して吸収軸の方向を一致させるように偏光子を被照明領域９００の手前に配置して、この偏光光を除去する構成を採用することが望ましい。
【００６８】
ＰＤＬＣ素子２００は第１レンズアレイ２５０と光源１００との間に配置しても良く、配置場所は本例に限定されない。すなわち、ＰＤＬＣ素子２００は第１レンズアレイ２５０の入射側、或いは、射出側のどちらか一方の側に配置されていれば良い。また、集光素子アレイとしては、本例の第１レンズアレイ２５０に代えて集光素子としての曲面反射ミラーを平面的に配列して構成した反射ミラーアレイを用いることもできる。但し、その場合には、照明装置は直線的に配置されず、光分割手段のところで照明光軸Ｌが折れ曲がる配置構成となる。さらに、第２レンズアレイ３２５を偏光分離素子４００の射出側に配置することができ、また、第２レンズアレイ３２５に重畳レンズ４４０の機能を併せ持たせることで、重畳レンズ４４０を省略することができるなど、偏光変換素子４００の周辺における各光学素子の配置形態は本例に限定されない。
【００６９】
なお、第３の実施形態で説明したように、形成される光源像１５０の寸法形状が照明光軸Ｌからの距離によって異なる点に着目して、第２レンズアレイ３２５を異なる寸法形状を有する伝達レンズ３２６によって構成すると共に、それに対応するように偏光分離面４２０と反射面４２１とを配置しても良い。このような構成とすれば、ＰＤＬＣ素子２００が非散乱モードにある場合の光利用効率を低下させずに、第２レンズアレイ３２５や偏光変換素子４００を小型化することができる。また、偏光分離素子アレイ４１０の様態は本例に限定されず、一つの偏光分離面４２０と一つの反射面４２１とが対となって配置されていれば良く、例えば、偏光分離素子アレイの左右、上下或いは斜めの方向において、照明光軸Ｌを対称軸として、対称的に配置されていても良い。
【００７０】
（第４の実施形態の変形例１）
図９に概略構成を示す照明装置４Ａは、照明装置４の第２レンズアレイ３２５と偏光変換素子４００との間に遮光手段としての遮光素子アレイ１７０を配置したもので、遮光素子アレイ１７０を設けることによって、偏光分離面４２０を経ずに反射面４２１に直接入射する光を無くすことができる。そのため、略一種類の偏光光を得ようとする照明装置を前提とした場合には、遮光素子アレイ１７０の使用は効果的である。
【００７１】
図１０（Ａ）に示すように、遮光素子アレイ１７０の光透過部１７１の寸法形状は偏光分離素子アレイ４１０の偏光分離面４２０の開口部４２５に、また、遮光部１７２の寸法形状は反射面４２１の開口部４２６にそれぞれ略一致させて形成されている。或いは、第３の実施形態で説明したように、光源像１５０の寸法形状は照明光軸Ｌから離れるに従って変化するため、例えば、図１０（Ｂ）に示すように、その寸法形状に合わせて配置された光透過部１７１を有する遮光素子アレイ１７０を用いても良い。
【００７２】
したがって、非散乱モードの状態にあるＰＤＬＣ素子２００から射出された照明光のほとんど全ては遮光素子アレイ１７０で遮光されることがないため、被照明領域９００は所望の偏光光によって明るく照明される。一方、ＰＤＬＣ素子２００が散乱モードの場合には、ＰＤＬＣ素子２００によって光の角度分布が広げられるため、形成される光源像１５０の寸法は遮光素子アレイ１７０の光透過部１７１も大きくなり、そこで遮光されるため、被照明領域９００における明るさは低下する。すなわち、ＰＤＬＣ素子２００を経た光によって形成される光源像１５０の寸法と光透過部１７１の寸法との大小関係によって、被照明領域９００へと伝達される偏光光の光量は変化するため、照明装置４Ａにおいても、先の照明装置４と同様の効果を得ることができる。なお、第２レンズアレイ３２５が偏光変換素子４００の光源側に配置されている場合には、遮光素子アレイ１７０を第２レンズアレイ３２５の入射側に配置しても良い。
【００７３】
（第４の実施形態の変形例２）
照明装置３Ａではリレーレンズ３１０の近傍に複数の集光像１５５が形成されるため、これらの集光像１５５が形成される位置の近傍に偏光変換素子４００を配置すれば、照明装置４と同様に、略一種類の偏光状態を有する偏光光を生成する照明装置を実現することができる。その一例を照明装置４Ｂとして示す。図１１は照明装置４Ｂの概略構成を示す平面図である。照明装置４Ｂの基本的な構成は照明装置３Ａと同じであり、照明装置３Ａの光伝達手段であるリレーレンズ３１０を第１リレーレンズ３１１と第２リレーレンズ３１２に分割し、その間に照明装置４の偏光変換素子４００を配置している。なお、第１リレーレンズ３１１に第２リレーレンズ３１２の機能を併せ持たせたり、或いは、その逆を行ったりすることによって、２つ有るリレーレンズ３１１、３１２の内の一方を省略することができる。また、第１リレーレンズ３１１や第２リレーレンズ３１２を照明装置４の第２レンズアレイ３２５のように複数のレンズを平面的に配置したレンズアレイとしても良い。さらに、形成される集光像１５５の寸法形状が照明光軸Ｌからの距離によって異なる点に着目して、一つの偏光分離面４２０と一つの反射面４２１とからなる組を単位として、その組毎に寸法を変えた偏光分離面４２０と反射面４２１とによって偏光変換素子４００を構成しても良い。このような構成とすれば、ＰＤＬＣ素子２００が非散乱モードにある場合の光利用効率を低下させずに、第１及び第２リレーレンズ３１１、３１２や偏光変換素子４００を小型化することができる。
【００７４】
ここで、ＰＤＬＣ素子２００は第１リレーレンズ３１１の入射側に配置され、また、偏光分離面４２０は非散乱モードの状態にあるＰＤＬＣ素子２００から射出された光によって形成される集光像１５５をほぼ包含できる様な寸法形状に設定されているため、照明装置４Ｂにおいても、先の照明装置４と同様の効果を得ることができる。なお、ＰＤＬＣ素子２００はガラスロッド２６０と偏光変換素子４００との間に配置すれば良く、その配置場所については本例に限定されない。また、光源１００とガラスロッド２６０との間に、さらにＰＤＬＣ素子２００を追加して配置することができ、その場合には、被照明領域に入射する偏光光量を一層多様に制御することができる。
【００７５】
（第４の実施形態の変形例３）
照明装置４における２つのレンズアレイの間に、別の形態の偏光変換素子を配置した構成を有する照明装置に対しても本発明を適用することができる。その一例を照明装置４Ｃとして示す。図１２は照明装置４Ｃの概略構成を示す平面図である。
【００７６】
偏光変換素子４５０は偏光分離部を構成する偏光分離素子４６０と偏光回転部を構成するアレイ状の構造を有するλ／２波長板４３０とを備えており、偏光分離素子４６０は入射端面４５３と射出端面４５４とが略９０°の角度を成す直角プリズム４５１と平行平板ガラス４５２とを接合したもので、両者の接合面には偏光分離面４２０が、また、平行平板ガラス４５２の直角プリズム４５１と対向しない面には反射面４２１がそれぞれ形成されている。ここで、偏光分離面４２０と反射面４２１とは互いに平行な状態にある。なお、一つの平行平板ガラス４５２と複数の小さな直角プリズム４５１を用いて偏光分離素子４６０を構成しても良く、この場合には、偏光分離素子４６０を小型化、軽量化できる効果がある。
【００７７】
第１レンズアレイ２５０からＰＤＬＣ素子２００を経て偏光分離素子４６０に入射した非偏光な光は、偏光分離面４２０によって互いに偏光方向が直交する２種類の偏光光、例えば、Ｐ偏光光とＳ偏光光に空間的に分離される。偏光分離面４２０を透過したＰ偏光光は、反射面４２１で反射され、再度偏光分離面４２０を透過して射出端面４５４から射出される。一方、偏光分離面４２０で反射されたＳ偏光光は、偏光分離面４２０と反射面４２１とが平行な状態で配置されているため、Ｐ偏光光と略平行な状態で射出端面４５４から射出される。偏光分離素子４６０の射出端面４５４の側には、λ／２波長板４３０が偏光光の種類に対応させて位置選択的に形成されている。すなわち、偏光分離面４２０を透過してきたＰ偏光光は、λ／２波長板４３０を通過することによって偏光方向が略９０°回転し、Ｓ偏光光へと変換される。一方、偏光分離面４２０で反射されたＳ偏光光は、λ／２波長板４３０を通過しないため偏光方向は変化せず、Ｓ偏光状態のままである。以上の過程により、偏光変換素子４５０に入射した非偏光な光は、偏光方向が揃った略一種類の偏光光に変換されて射出される。第２レンズアレイ３３０は、形成される光源像１５０に対して伝達レンズ３３１が一対一で対応するように、第１レンズアレイ２５０を構成する小レンズ（集光素子）２５１の２倍の数の伝達レンズ３３１で構成されており、偏光変換素子４５０から射出された略一種類の偏光光は、第２レンズアレイ３３０の対応する伝達レンズ３３１にそれぞれ入射し、被照明領域９００に伝達され重畳結像される。したがって、被照明領域９００上では略一種類の偏光光による略均一な照度分布を得ることができる。
【００７８】
ここで、ＰＤＬＣ素子２００は第１レンズアレイ２５０の射出側に配置され、また、第２レンズアレイ３３０を構成する伝達レンズ３３１は非散乱モードの状態にあるＰＤＬＣ素子２００から射出された光によって形成される光源像１５０をほぼ包含できるような寸法形状に設定されている。したがって、照明装置４Ｃにおいても、先の照明装置４と同様の効果を得ることができる。
【００７９】
なお、ＰＤＬＣ素子２００は第１レンズアレイ２５０の光源１００側に配置されていても良く、その配置場所については本例に限定されない。すなわち、ＰＤＬＣ素子２００は第１レンズアレイ２５０の入射側、或いは、射出側のどちらか一方の側に配置されていれば良い。また、第２レンズアレイ３３０とλ／２波長板４３０との位置関係を逆に設定しても良い。さらに、第１レンズアレイ２５０を構成する小レンズ２５１と同数の伝達レンズ３３１を用いて第２レンズアレイ３３０を構成し、隣接する２つの光源像１５０に対して１つの伝達レンズ３３１が対応する構成とすることもでき、その場合には、隣接する２つの光源像１５０をほぼ包含できる様な寸法形状に第２レンズアレイ３３０を構成する伝達レンズ３３１を設定すれば良い。さらに、本例においても、形成される光源像１５０の寸法形状が照明光軸Ｌからの距離によって異なる点に着目して、第２レンズアレイ３３０を異なる寸法形状を有する伝達レンズ３３１によって構成しても良い。このような構成とすれば、ＰＤＬＣ素子２００が非散乱モードにある場合の光利用効率を低下させずに、第２レンズアレイ３３０を小型化することができる。
【００８０】
（第４の実施形態の変形例４）
照明装置４Ｃでは、偏光変換素子４５０の偏光分離面４２０と反射面４２１とは平行な状態に設定されていたため、偏光分離面４２０で分離された２種類の偏光光は平行な状態で第２レンズアレイ３３０に入射していたが、偏光分離面４２０と反射面４２１とを非平行な状態に設定し、偏光分離面４２０で分離された２種類の偏光光がわずかに異なる角度で第２レンズアレイ３３０に入射する構成の偏光変換素子を備えた照明装置に対しても本発明を適用することができる。その一例を照明装置４Ｄとして示す。図１３は照明装置４Ｄの概略構成を示す平面図である。本例の偏光変換素子４５１では、柱状プリズム４５９の非平行な対向面に偏光分離面４２０と反射面４２１が形成されているため、第２レンズアレイ３３０に入射する偏光光の入射角を２種類の偏光光において異ならせることによって、２種類の偏光光を空間的に分離している。なお、一つの柱状プリズム４５９と複数の小さな直角プリズム４５１を用いて偏光分離素子４６１を構成しても良く、この場合には、偏光分離素子４６１を小型化、軽量化できる効果がある。
【００８１】
ここで、照明装置４Ｃと同様に、第２レンズアレイ３３０を構成する伝達レンズ３３１は非散乱モードの状態にあるＰＤＬＣ素子２００から射出された光によって形成される光源像１５０をほぼ包含できる様な寸法形状に設定されている。したがって、照明装置４Ｄにおいても、照明装置４Ｃと同様の効果を得ることができる。
【００８２】
なお、ＰＤＬＣ素子２００は第１レンズアレイ２５０の光源１００側に配置されていても良く、その配置場所については本例に限定されない。すなわち、ＰＤＬＣ素子２００は第１レンズアレイ２５０の入射側、或いは、射出側のどちらか一方の側に配置されていれば良い。また、第２レンズアレイ３３０とλ／２波長板４３０との位置関係や、第２レンズアレイ３３０を構成する伝達レンズ３３１の数やその形状のバリエーションについては、照明装置４Ｃと同様に多様な形態を採用することができる。
【００８３】
（第４の実施形態の変形例５）
方解石のような複屈折性を有する光学素子を偏光分離素子として用いた照明装置に対しても本発明を適用することができる。その一例を照明装置４Ｅとして示す。図１４は照明装置４Ｅの概略構成を示す平面図である。照明装置４Ｅの偏光分離素子４７０は複屈折性を有する光学素子で形成されており、偏光分離素子４７０に入射した非偏光な光は、偏光方向が略直交する２種類の偏光光、例えば、Ｘ偏光光とＹ偏光光に分離され、互いに僅かに異なる角度で偏光分離素子４７０から射出される。偏光分離素子４７０から射出された２種類の偏光光は、第１レンズアレイ２５０によって複数の光に分割され、ＰＤＬＣ素子２００を経て第２レンズアレイ３３０に入射する。第２レンズアレイ３３０は、形成される光源像１５０に対して伝達レンズ３３１が一対一で対応するように、第１レンズアレイ２５０を構成する小レンズ２５１の２倍の数の伝達レンズ３３１で構成されており、偏光分離素子４７０から射出された２種類の偏光光は、第２レンズアレイ３３０の対応する伝達レンズ３３１にそれぞれ入射する。第２レンズアレイ３３０の射出側にはλ／２波長板４３０が偏光光の種類に対応させて位置選択的に形成されており、λ／２波長板４３０に入射したＹ偏光光は偏光方向が略９０°回転されＸ偏光光に変換される。一方、Ｘ偏光光はλ／２波長板４３０を通過しないため偏光方向は変化しない。以上の過程により、光源１００から射出された非偏光な光は、偏光方向が揃った略一種類の偏光光に変換される。第２レンズアレイ３３０の対応する伝達レンズ３３１に入射したそれぞれの偏光光は被照明領域９００に伝達され重畳結像される。したがって、被照明領域９００上では略一種類の偏光光による略均一な照度分布を得ることができる。
【００８４】
ここで、ＰＤＬＣ素子２００は第１レンズアレイ２５０の射出側に配置され、また、第２レンズアレイ３３０を構成する伝達レンズ３３１は非散乱モードの状態にあるＰＤＬＣ素子２００から射出された光によって形成される光源像１５０をほぼ包含できる様な寸法形状に設定されている。したがって、照明装置４Ｅにおいても、先の照明装置４と同様の作用効果を得ることができる。
【００８５】
なお、ＰＤＬＣ素子２００は第１レンズアレイ２５０の光源１００側に配置されていても良く、その配置場所については本例に限定されない。すなわち、ＰＤＬＣ素子２００は第１レンズアレイ２５０の入射側、或いは、射出側のどちらか一方の側に配置されていれば良い。また、第２レンズアレイ３３０とλ／２波長板４３０との位置関係や、第２レンズアレイ３３０を構成する伝達レンズ３３１の数やその形状のバリエーションについては、照明装置４Ｃと同様に多様な形態を採用することができる。
【００８６】
（第５の実施形態）
第３の実施形態の照明装置３では、複数の光源像を形成する複数の部分光を一括して散乱する光散乱手段としてのＰＤＬＣ素子２００を用いていたが、この第５の実施形態の照明装置５では、各々の部分光を独立して散乱する光散乱手段としてのＰＤＬＣ素子５００を設けた点が相違する。
【００８７】
図１５は、第５の実施形態としての照明装置５の概略構成を示す平面図である。照明装置３と同様に、この照明装置５も２つのレンズアレイを備えている。図１６に示すように、第１レンズアレイ２５０は複数の小レンズ２５１をＭ行Ｎ列のマトリックス状に配置して構成されており、第２レンズアレイ３２０も複数の小レンズ３２１を同様に配置して構成されている。また、ＰＤＬＣ素子５００は第１レンズアレイ２５０と相対する面内において複数の領域に分割され、すなわち、図１７に示すように、小レンズ２５１の配列の仕方に合わせてＭ×Ｎ個に分割された複数の散乱領域５１０を備えて構成されている。この散乱領域は、図示しない制御手段によって、それぞれ別々に制御できるように設定されている。なお、ＰＤＬＣ素子５００を第１レンズアレイ２５０に近接して配置する場合には、小レンズ２５１の配列の仕方に合わせて散乱領域５１０を設定することが望ましいが、小レンズ２５１によって光源像が形成されるため、ＰＤＬＣ素子５００を第２レンズアレイ２５０に近接して配置する場合には、部分光や部分光によって形成される光源像の配列の仕方に合わせて散乱領域５１０を設定することが望ましい。
【００８８】
ところで、ＴＮ型の表示モードを備えた一般的な液晶装置では、図１８に示すように、コントラスト特性が入射角依存性を有し、照明光の液晶装置への入射角が大きくなるほどコントラスト値は低下する。したがって、被照明領域９００として、表示特性が入射角依存性を有する液晶装置を想定した場合には、小さな角度で被照明領域９００に入射する照明光よりも、大きな角度で入射する照明光を優先して遮光する形態とすれば、或いは、小さな角度で被照明領域９００に入射する照明光の散乱度合いよりも、大きな角度で入射する照明光の散乱度を優先して増大させる形態とすれば、表示画像のコントラストを効果的に向上させやすい。
【００８９】
そこで、本実施の形態のＰＤＬＣ素子５００は、先に図１７に示したように、独立して制御可能な複数の散乱領域５１０を備えて構成されており、例えば、被照明領域９００に入射させる照明光を僅かに減光する場合には、システム光軸Ｌから離れた周辺部に光源像を形成する部分光を選択的に散乱させて減光し、減光の程度が増すにしたがって、散乱させる領域をシステム光軸Ｌの方向に拡げて行き、減光の程度が最も大きい段階では中央部付近に光源像を形成する部分光をも散乱させて減光するように、或いは、複数の散乱領域５１０間において、中央部付近に光源像を形成する部分光の散乱の程度よりも、システム光軸Ｌから離れた周辺部に光源像を形成する部分光の散乱の程度を常に増大させるように、ＰＤＬＣ素子５００は制御される。その結果、単一の散乱領域を備えたＰＤＬＣ素子を用いた場合に比べて、照明光全体の減光の程度が同じであっても、投写画像のさらなる高画質化（例えば高コントラスト化）を実現することができる。
【００９０】
以上のように構成された照明装置５においては、照明装置２または３と同様の効果を実現できると共に、表示特性が照明光の入射角依存性を有する電気光学装置を被照明領域９００とした場合には、照明光全体の減光の程度が同じであっても、より高画質な表示画像を得ることが可能となる。なお、ＰＤＬＣ素子５００の散乱領域５１０の設定の仕方は、本実施の形態に限定されず、例えば、図１９（Ａ）〜（Ｄ）に示すように、同心略相似形状、マトリックス状、列状、行状などに設定することもできる。さらに、第１レンズアレイ２５０を構成する小レンズ２５１や光源像の配列の仕方とは対応しないように設定してもよく、例えば、一つの小レンズ２５１や光源像に対して複数の散乱領域５１０が対応するように、或いは、複数の小レンズ２５１や光源像に対して一つの散乱領域５１０が対応するように設定しても良い。
【００９１】
上述したようなＰＤＬＣ素子５００における散乱領域５１０の設定や制御の仕方は、被照明領域（電気光学装置）における表示特性を考慮して決定され、すなわち、電気光学装置における表示画像の高画質化に不適当な照明光（部分光）から先に減光や減光の程度を増すように駆動することが望ましい。高画質化に不適当な照明光とは、例えば、コントラストの低下やフリッカーの増加を招きやすい入射角度の大きな照明光が該当する。また、図１８に示したように、一般にＴＮ型の液晶装置ではコントラストの著しい低下を招く逆明視方向５２０（図１８ではψ＝１３５度の方向）が存在するため、この方向に沿って入射する照明光を選択的に減光すれば、表示画像の高画質化を一層効果的に達成できる。
Ｂ．プロジェクタ
上記の照明装置を用いて構成される本発明に係わるプロジェクタについて説明する。
【００９２】
（第６の実施形態）
図２０は、第６の実施形態としてのプロジェクタの要部を示す概略構成図である。本実施形態のプロジェクタＡは、画像情報に含まれる輝度情報に基づいて光散乱手段であるＰＤＬＣ素子２００と投写画像を形成する電気光学装置を制御することによって、画像情報の内容に応じて投写画像の明るさやコントラスト特性を制御できる点に特徴を有する。プロジェクタＡでは第３の実施形態で説明した照明装置３と、照明装置３からの照明光を光変調して画像を形成する電気光学装置として透過型の液晶装置７００を用いている。
【００９３】
液晶装置７００は照明装置３における被照明領域９００の位置に配置され、光源１００から射出された光はＰＤＬＣ素子２００を経て液晶装置７００に入射し、液晶装置７００で光変調を施されて画像情報を含んだ光に変換され、投写光学系７１０によってスクリーン９１０上に投写画像を形成する。
【００９４】
次に、画像情報の取り扱い、及び、ＰＤＬＣ素子２００と液晶装置７００の駆動手段について説明する。外部から入力された画像情報である原画像信号８００は、輝度計算手段８１０と画像制御手段８４０の双方に伝達される。輝度計算手段８１０では、原画像信号８００中に含まれる輝度成分の分布を算出し、例えば、１フィールド或いは１フレーム中の平均輝度レベル、最大輝度レベル、最小輝度レベルなどを輝度情報信号８１１として画質制御量計算手段８２０に伝達する。画質制御量計算手段８２０では、輝度情報信号８１１に基づいて、ＰＤＬＣ素子２００によって液晶装置７００に入射させる光量を制御するための輝度制御信号８２１を算出し、ＰＤＬＣ駆動手段８３０に伝達すると共に、ＰＤＬＣ素子２００の制御に対応させて、液晶装置７００に表示する画像信号の信号レベルを制御するための画像制御信号８２２を算出し、画像制御手段８４０に伝達する。そして、ＰＤＬＣ駆動手段８３０は、輝度制御信号８２１に基づいてＰＤＬＣ素子２００を駆動し、ＰＤＬＣ素子２００を通過する光の角度分布を制御する。一方、画像制御手段８４０では、画像制御信号８２２と原画像信号８００とから最終的に表示を行うための画像信号８４１を生成し、ＬＶ駆動手段８５０はその画像信号８４１に基づいて液晶装置７００を駆動する。
【００９５】
ここで、輝度情報信号８１１と、ＰＤＬＣ素子２００及び液晶装置７００の制御との関係について、図２１を用いて説明する。図２１は原画像信号における輝度レベルとプロジェクタＡで表示可能な輝度範囲の関係を示している。輝度情報信号８１１の３つのパラメーターである平均輝度レベル、最大輝度レベル、最小輝度レベルがともに高い値を示す場合、すなわち、表示しようとする画像が明るく、暗い部分がない場合には、ＰＤＬＣ素子２００は非散乱モードとなり、第１レンズアレイ２５０によって形成される光源像１５０と第２レンズアレイ３２０を構成する伝達レンズ３２１とにおける寸法形状の関係から、照明光は一切減衰されることなく液晶装置７００に入射する。この場合、画像制御手段８４０では原画像信号８００と全く同じ画像信号８４１が生成され、液晶装置７００ではこの画像信号８４１に基づいて光変調が行われる。この時、プロジェクタＡが表示し得る投写画像の明るさの範囲は、液晶装置７００のコントラスト特性に基づいて、図２１の（Ａ）に示すＷ１〜Ｂ１の範囲となる。
【００９６】
一方、輝度情報信号８１１の３つのパラメーターがともに低い値を示す場合、すなわち、表示しようとする画像が暗く、明るい部分がない場合には、ＰＤＬＣ素子２００は散乱モードとなり、形成される光源像１５０の寸法は伝達レンズ３２１よりも大きくなるため、液晶装置７００に入射する照明光量は減少する。この場合、画像制御手段８４０では照明光量の減少に関する情報が画像制御信号８２２として伝達され、原画像信号８００から実際の表示に係わる画像信号８４１、すなわち照明光量の減少を考慮した画像信号８４１が生成される。例えば、最大輝度レベルの信号に対しては照明光量の減少分を補い、最小輝度レベルの信号に対しては照明光量の減少分を補わないことで、暗い画像を一層暗く表現できる画像信号８４１を生成する。但し、画像信号８４１の生成の様式は、電気光学装置の表示特性や観察者である人間の視覚特性なども考慮して決定されることが望ましいため、上記の方法には限定されない。そして、液晶装置７００ではこの画像信号８４１に基づいて光変調が行われる。この時、表示し得る投写画像の明るさの範囲は、図２１の（Ｂ）に示すＷ２〜Ｂ２の範囲となり、黒を表現しようとする場合には、（Ａ）の場合に比べて「黒浮き」が抑えられた、一層暗い黒となる。
【００９７】
そして、上記の極端な場合以外の画像に対しては、輝度情報信号８１１の３つのパラメーターに基づいて、上記の中間の状態をとるように制御される。
【００９８】
以上のように構成された本発明のプロジェクタＡでは、投写画像において表示し得る明るさの可変範囲は図２１の（Ｃ）に示すＷ１〜Ｂ２の範囲となり、液晶装置７００のコントラスト比を改善することなく、コントラスト比の向上した投写画像を実現することができる。従来のプロジェクタでは、表示しようとする画像が全体に暗い場合であっても、液晶装置以外の部分では明るさの制御ができなかったため、液晶装置の階調データを輝度レベルの低い画像信号に対して有効に割り当てることができず、細かな階調表現ができなかった。しかし、本発明のプロジェクタＡでは、液晶装置に加えて、照明系においても明るさの制御が可能であるため、液晶装置７００に入射する照明光量の制御と液晶装置７００における階調表現とを組み合わせて表示画像の輝度レベルを制御することができる。すなわち、表示しようとする画像が全体に暗い場合には、照明系によって画像の最小輝度レベル（図２１のＢ２レベル）を、照明系と液晶装置の階調表現によって最大輝度レベル（同Ｗ１レベル）を表現することで、画像が有する階調変化の範囲に対して液晶装置７００の階調データをより多く割り当てることができるため、有限の階調表現しかできない液晶装置７００であっても、より細かな階調表現を実現することができる。
【００９９】
しかも、上記の制御を１フィールド或いは１フレーム毎に自動的に行うようにシステムを構築すれば、ほとんどリアルタイムで投写画像の内容に応じてコントラスト比、階調性、明るさを可変でき、黒の表現性に優れた高画質な投写画像を表示することができる。もちろん、観察者の好みに応じて上記の制御を行えるようにシステムを構築しても良い。さらに、表示しようとする画像が全体に暗い場合には、照明系によって電気光学装置に入射する照明光量を減少できるため、耐光性が十分に高いとは言い難い電気光学装置を使用する場合であっても電気光学装置の長寿命化を図ることができる。また、照明光量の減少によって電気光学装置における発熱量も低減できるため、電気光学装置を冷やす冷却装置の負荷を低減して冷却装置の低騒音化を実現することができる。
【０１００】
（第７の実施形態）
図２２は、第７の実施形態としてのプロジェクタの要部を示した概略構成図である。本実施形態のプロジェクタＢでは、プロジェクタが設置された場所の明るさ、すなわち環境光を検知する光センサーからの情報に基づいて光散乱手段であるＰＤＬＣ素子２００を制御し、環境光の状態に対応して投写画像の明るさを制御できる点に特徴を有する。
【０１０１】
光センサー８８０はプロジェクタＢが設置された場所における環境光の明るさを検出し、環境光信号８８１として輝度制御手段８６０に伝達する。輝度制御手段８６０では環境光信号８８１に基づいて輝度制御信号８２１を算出し、ＰＤＬＣ駆動手段８３０は輝度制御信号８２１に基づいてＰＤＬＣ素子２００を駆動し、ＰＤＬＣ素子２００を通過する光の角度分布を制御する。ここで、環境光信号８８１と、ＰＤＬＣ素子２００の制御との関係について説明する。環境光が明るい場合には、ＰＤＬＣ素子２００は非散乱モードとなり、照明光は一切減衰されることなく液晶装置７００に入射する。一方、環境光が暗い場合には、ＰＤＬＣ素子２００は散乱モードとなり、液晶装置７００に入射する照明光量は減少する。
【０１０２】
以上のように構成された本発明のプロジェクタＢでは、プロジェクタが置かれた環境の明るさに応じて、明るさを自動的に、或いは、観察者の好みに応じて調節することができるため、観察者にとって見やすく、高画質な投写画像を表示することができる。また、スクリーン９１０に差し込む外光を光センサー８８０で検出し、その結果に基づいて投写画像の明るさを制御する構成としても良い。例えば、スクリーン９１０に外光や環境光が差し込まない場合には減光した状態で投写画像を表示し、外光や環境光が差し込む場合には表示画像のコントラスト低下を招いて見づらくなるため、減光をせずに投写画像を表示することで表示画像のコントラストを高めて見やすくすることができる。なお、本例の構成を先のプロジェクタＡに組み入れることも可能であるため、その場合には、投写画像の内容、環境光の明るさ、観察者の好みなどのパラメーターに基づいて、投写画像を一層細やかに制御することができる。
【０１０３】
Ｃ．その他の変形例
本発明は上記の実施形態に限定されるものではなく、その要旨を逸脱しない範囲において、種々の様態で実施することが可能であり、例えば、次のような変形も可能である。
【０１０４】
１）第１の実施形態で説明したＰＤＬＣ素子は、マイクロカプセル化された液晶が樹脂中で互いに孤立して存在する様式の高分子分散型液晶装置であったが、３次元網目状高分子構造体の中で液晶が連続して存在する様式の高分子分散型液晶装置（ＰＮＬＣ素子：Ｐｏｌｙｍｅｒ  Ｎｅｔｗｏｒｋ  Ｌｉｑｕｉｄ  Ｃｒｙｓｔａｌ）を光散乱手段として用いても良く、ＰＤＬＣ素子の場合と同様の作用、効果を実現することができる。なお、ＰＮＬＣ素子において光散乱を生じるメカニズムはＰＤＬＣ素子の場合と同じである。ＰＤＬＣ素子は、散乱モード時の散乱性が高く、ＰＮＬＣ素子に比べて応答速度が速いなどの特徴があり、一方、ＰＮＬＣ素子は、非散乱モード時の光透過率が高く、ＰＤＬＣ素子に比べて駆動電圧が低く、製造が容易で、低コスト化しやすいなどの特徴がある。
【０１０５】
さらには、樹脂や３次元網目状高分子構造体の中に分散させた液晶を用いることなく、液晶を動的散乱モードで駆動する様式の液晶装置を本発明の光散乱手段として使用することができる。液晶分子の長軸に対して直角方向に永久双極子モーメントを持つ液晶では、電界あるいは電圧の印加によって配向状態が異なる多数の分域を生じ、それらの分域の境界では光が散乱され、その散乱の程度は印加する電界あるいは電圧に比例する。動的散乱モードで駆動する液晶装置は構造が簡単であり、製造しやすいという特徴がある。
【０１０６】
２）光散乱手段であるＰＤＬＣ素子やＰＮＬＣ素子では、液晶の種類や樹脂或いは３次元網目状高分子構造体中での液晶の配向の仕方によっては、電界あるいは電圧を印加した場合に屈折率が整合されずに散乱モードとなり、逆に、電界あるいは電圧を印加しない場合に屈折率が整合されて非散乱モードとなる様式の高分子分散型液晶装置も実現可能であり、そのようなＰＤＬＣ素子並びにＮＣＡＰ素子やＰＮＬＣ素子を光散乱手段として用いても、本発明と同様の効果を実現することができる。
【０１０７】
３）上記のプロジェクタＡ、Ｂでは、電気光学素子として透過型の液晶装置を用いていたが、反射型の液晶装置を用いたプロジェクタや、液晶以外の電気装置、例えば、テキサスインスツルメント社のＤＭＤ装置を用いたプロジェクタに対しても、本発明の照明装置を採用することができる。なお、ＤＭＤは、テキサスインスツルメント社の登録商標である。さらに、プロジェクタの形態としては、前面投写型のプロジェクタや背面投写型のプロジェクタにおいても本発明の照明装置を採用することができる。
【０１０８】
４）ランプに投入する電力量を変えることで射出光量を調節可能ないわゆる調光ランプを本発明の照明装置に使用すれば、被照明領域を照明する光量をより広範囲に渡って制御することができるため、投写画像を一層細やかに制御することが可能となる。但し、一般的な調光ランプでは、瞬時の調光を行えないため、調光ランプを併用した場合でも、本発明の有効性は失われない。
【０１０９】
【発明の効果】
上述したように本発明の照明装置は、光源と被照明領域との間に光散乱手段を備えているため、外部からの制御情報によって光散乱手段から射出される光の角度分布を変え、所望の角度分布を有する照明光に変換することで、被照明領域に入射する照明光量を制御することができる。したがって、調光を瞬時に行うことができないランプを用いた場合であっても、被照明領域における明るさを瞬時に制御する照明装置を実現することができる。
【０１１０】
また、本発明の構成は、光分割手段を備えることで被照明領域において略均一な照度分布を得る照明装置や、光分割手段と偏光変換素子を備えることで被照明領域において略一種類の偏光による略均一な照度分布を得る照明装置に対しても適用することができ、上記と同様の効果を得ることができる。
【０１１１】
さらに、本発明の照明装置を用いて構成したプロジェクタでは、電気光学装置のコントラスト比を改善することなく、コントラスト比の向上した投写画像を実現することができ、また、投写画像の内容に応じてコントラスト比、階調性、明るさを可変でき、黒の表現性に優れた高画質な投写画像を表示することができる。さらに、プロジェクタが置かれた環境の明るさに応じて、明るさを自動的に、或いは、観察者の好みに応じて調節することができ、観察者にとって見やすく、高画質な投写画像を表示することができる。
【図面の簡単な説明】
【図１】  第１の実施形態としての照明装置１の概略構成を示す平面図である。
【図２】  ＰＤＬＣ素子の構造と機能を説明するための概略断面図であり、（Ａ）は電界を印加していない状態を、（Ｂ）は電界を印加した状態を示している。
【図３】  ＰＤＬＣ素子において、印加する電圧と射出される光の角度分布状態の関係を示す説明図である。
【図４】  第２の実施形態としての照明装置２の概略構成を示す平面図である。
【図５】  照明装置２にける遮光素子の光透過部と光源像との寸法形状の関係を説明するための図であり、（Ａ）は光透過部と光源像の寸法がほぼ等しい場合を、（Ｂ）は光透過部よりも光源像の寸法が大きい場合を示している。
【図６】  第３の実施形態としての照明装置３の概略構成を示す平面図である。
【図７】  第３の実施形態の変形例としての照明装置３Ａの概略構成を示す平面図である。
【図８】  第４の実施形態としての照明装置４の概略構成を示す平面図である。
【図９】  第４の実施形態の変形例１としての照明装置４Ａの概略構成を示す平面図である。
【図１０】  照明装置４Ａに使用される遮光素子アレイの概略構成を示す平面図であり、（Ａ）は光透過部が偏光分離面の開口部と一致している場合を、（Ｂ）は光透過部が光源像の寸法形状と略一致している場合を示している。
【図１１】  第４の実施形態の変形例２としての照明装置４Ｂの概略構成を示す平面図である。
【図１２】  第４の実施形態の変形例３としての照明装置４Ｃの概略構成を示す平面図である。
【図１３】  第４の実施形態の変形例４としての照明装置４Ｄの概略構成を示す平面図である。
【図１４】  第４の実施形態の変形例５としての照明装置４Ｅの概略構成を示す平面図である。
【図１５】  第５の実施形態としての照明装置４の概略構成を示す平面図である。
【図１６】  レンズアレイのマトリックス構造の説明図である。
【図１７】  照明装置５のＰＤＬＣ素子の概略構成を示す平面図である。
【図１８】  ＴＮ型の表示モードを備えた液晶装置におけるコントラスト特性の一例を説明する図である。
【図１９】  散乱領域の配置の仕方を説明する図であり、（Ａ）は同心略相似形状に、（Ｂ）はマトリックス状に、（Ｃ）は列状に、（Ｄ）は行状に、各々散乱領域を配列した場合を示している。
【図２０】  第６の実施形態としてのプロジェクタＡの要部を示す概略構成図である。
【図２１】  原画像信号における輝度レベルとプロジェクタＡで表示可能な輝度範囲の関係を示す図である。
【図２２】  第７の実施形態としてのプロジェクタＢの要部を示す概略構成図である。
【符号の説明】
Ａ、Ｂ    プロジェクタ
Ｌ    照明光軸
１、２、３、３Ａ、４、４Ａ、４Ｂ、４Ｃ、４Ｄ、４Ｅ、５    照明装置
１００    光源
１１０    ランプ
１２０    放物面リフレクター
１２１    楕円面リフレクター
１３０    集光素子
１５０    光源像
１５５    集光像
１６０，１７０    遮光素子
１６１，１７１    光透過部
１６２，１７２    遮光部
２００、５００    ＰＤＬＣ素子
２１０    液晶
２１１    マイクロカプセル
２１２    樹脂
２２０    透明電極
２３０    透明基板
２４０    入射光
２５０    第１レンズアレイ
２５１    小レンズ
２６０    ガラスロッド
２６１    入射端面
２６２    射出端面
２６３    反射面
２７０    集光レンズ
３００    伝達レンズ
３１０    リレーレンズ
３１１    第１リレーレンズ
３１２    第２リレーレンズ
３２０、３２５、３３０    第２レンズアレイ
３２１、３２６、３３１    伝達レンズ
１７０    遮光素子アレイ
４００、４５０、４５１    偏光変換素子
４１０    偏光分離素子アレイ
４２０    偏光分離面
４２１    反射面
４２５、４２６    開口部
４３０    λ／２波長板
４４０    重畳レンズ
４５１    直角プリズム
４５２    平行平板ガラス
４５３    入射端面
４５４    射出端面
４６０、４６１    偏光分離素子
５１０    散乱領域
５２０    逆明視方向
６００    平行化レンズ
７００    液晶装置
７１０    投写光学系
８１０    輝度計算手段
８２０    画質制御量計算手段
８３０    ＰＤＬＣ駆動手段
８４０    画像制御手段
８５０    ＬＶ駆動手段
８６０    輝度制御手段
８８０    光センサー
９００    被照明領域
９１０    スクリーン
【図１】
0004082027.tif 000002
【図２】
0004082027.tif 000003
【図３】
0004082027.tif 000004
【図４】
0004082027.tif 000005
【図５】
0004082027.tif 000006
【図６】
0004082027.tif 000007
【図７】
0004082027.tif 000008
【図８】
0004082027.tif 000009
【図９】
0004082027.tif 000010
【図１０】
0004082027.tif 000011
【図１１】
0004082027.tif 000012
【図１２】
0004082027.tif 000013
【図１３】
0004082027.tif 000014
【図１４】
0004082027.tif 000015
【図１５】
0004082027.tif 000016
【図１６】
0004082027.tif 000017
【図１７】
0004082027.tif 000018
【図１８】
0004082027.tif 000019
【図１９】
0004082027.tif 000020
【図２０】
0004082027.tif 000021
【図２１】
0004082027.tif 000022
【図２２】
0004082027.tif 000023